(57)【要約】【課題】ユーザが電源キー等の物理的なキーを操作することなく、ディスプレイがＯＦＦ状態においてユーザの操作を受け付けることができる電子機器を提供すること。【解決手段】ディスプレイ２Ａと、ディスプレイ２Ａ上に配置されるタッチスクリーン２Ｂと、所定の処理が実行されているときに、ディスプレイ２ＡがＯＦＦ状態になった場合、タッチスクリーン２Ｂの感度閾値をディスプレイ２ＡがＯＮ状態のときよりも高く設定する制御部２１を備える。【選択図】図３
2014089636.tif 000002
【特許請求の範囲】
【請求項１】
ディスプレイと、
前記ディスプレイ上に配置されるタッチパネルと、
所定の処理が実行されているときに、前記ディスプレイがＯＦＦ状態になった場合、前記タッチパネルの感度閾値を前記ディスプレイがＯＮ状態のときよりも高く設定する制御部を備える電子機器。
【請求項２】
前記制御部は、前記タッチパネルから送信されてきた検出値が前記感度閾値を超えていた場合には、前記ディスプレイをＯＮ状態にする請求項１記載の電子機器。
【請求項３】
前記タッチパネルは、複数の感度点により構成されており、
前記制御部は、前記タッチパネルから送信されてきた検出値が前記感度閾値を超えていた場合には、前記感度点が反応した数に応じて異なる制御を行う請求項１記載の電子機器。
【請求項４】
外部機器に接続される接続部を備え、
前記制御部は、前記接続部に前記外部機器が接続され、前記所定の処理が実行されて、当該所定の処理に係る信号が前記外部機器に送信されているときに、前記ディスプレイがＯＦＦ状態になった場合、前記タッチパネルの感度閾値を前記ディスプレイがＯＮ状態のときよりも高く設定する請求項１記載の電子機器。
【請求項５】
前記制御部は、前記タッチパネルの感度閾値を前記ディスプレイがＯＮ状態のときよりも高く設定するときに、複数の異なる感度閾値を設定し、前記タッチパネルから送信されてきた検出値が超えた感度閾値に応じて、異なる制御を行う請求項１記載の電子機器。
【発明の詳細な説明】
【技術分野】
【０００１】
本発明は、外部機器に接続される接続部を有する電子機器に関する。
【背景技術】
【０００２】
電子機器は、消費電力を抑制するために、一定時間操作がない場合には、ディスプレイをＯＦＦにし、操作を受け付けた場合にはディスプレイをＯＮにする技術がある。
【先行技術文献】
【特許文献】
【０００３】
【特許文献１】特開平６−１１９０９０号公報
【発明の概要】
【発明が解決しようとする課題】
【０００４】
ところで、ディスプレイをＯＦＦからＯＮにするためには、ユーザが電源キー等を押下する必要等があった。
本願発明は、ユーザが電源キー等の物理的なキーを操作することなく、ディスプレイがＯＦＦ状態においてユーザの操作を受け付けることができる電子機器を提供することを目的とする。
【課題を解決するための手段】
【０００５】
本発明に係る電子機器は、ディスプレイと、前記ディスプレイ上に配置されるタッチパネルと、所定の処理が実行されているときに、前記ディスプレイがＯＦＦ状態になった場合、前記タッチパネルの感度閾値を前記ディスプレイがＯＮ状態のときよりも高く設定する制御部を備える構成である。
【０００６】
電子機器では、前記制御部は、前記タッチパネルから送信されてきた検出値が前記感度閾値を超えていた場合には、前記ディスプレイをＯＮ状態にする構成でもよい。
【０００７】
電子機器では、前記タッチパネルは、複数の感度点により構成されており、前記制御部は、前記タッチパネルから送信されてきた検出値が前記感度閾値を超えていた場合には、前記感度点が反応した数に応じて異なる制御を行う構成でもよい。
【０００８】
電子機器では、外部機器に接続される接続部を備え、前記制御部は、前記接続部に前記外部機器が接続され、前記所定の処理が実行されて、当該所定の処理に係る信号が前記外部機器に送信されているときに、前記ディスプレイがＯＦＦ状態になった場合、前記タッチパネルの感度閾値を前記ディスプレイがＯＮ状態のときよりも高く設定する構成でもよい。
【０００９】
電子機器では、前記制御部は、前記タッチパネルの感度閾値を前記ディスプレイがＯＮ状態のときよりも高く設定するときに、複数の異なる感度閾値を設定し、前記タッチパネルから送信されてきた検出値が超えた感度閾値に応じて、異なる制御を行う構成でもよい。
【発明の効果】
【００１０】
本発明によれば、ユーザが電源キー等の物理的なキーを操作することなく、ディスプレイがＯＦＦ状態においてユーザの操作を受け付けることができる。
【図面の簡単な説明】
【００１１】
【図１】実施形態に係るスマートフォンの外観を示す斜視図である。
【図２】実施形態に係るスマートフォンの外観を示す背面図である。
【図３】スマートフォンの構成を示すブロック図である。
【図４】外部機器とスマートフォンがケーブルで接続されている様子を示す図である。
【図５】ケーブルの構成を示す図である。
【図６】スマートフォンの動作についての説明に供するフローチャートである。
【発明を実施するための形態】
【００１２】
本発明を実施するための実施形態を、図面を参照しつつ詳細に説明する。以下では、電子機器の一例として、スマートフォンについて説明する。
【００１３】
図１及び図２を参照しながら、実施形態に係るスマートフォン１の外観について説明する。図１及び図２に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１４】
スマートフォン１は、タッチスクリーンディスプレイ２と、ボタン３Ａ〜３Ｃと、照度センサ４と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００１５】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスにより構成される。ディスプレイ２Ａは、文字、画像、記号又は図形等を表示する。
【００１６】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００１７】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００１８】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１９】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００２０】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００２１】
例えば、ボタン３Ａ〜３Ｃは、ホームボタン、バックボタン又はメニューボタンである。例えば、ボタン３Ｄは、スマートフォン１のパワーＯＮ／ＯＦＦボタンである。ボタン３Ｄは、スリープ／スリープ解除ボタンを兼ねてもよい。例えば、ボタン３Ｅ及び３Ｆは、音量ボタンである。
【００２２】
照度センサ４は、照度を検出する。例えば、照度とは、光の強さ、明るさ、輝度等である。照度センサ４は、例えば、ディスプレイ２Ａの輝度の調整に用いられる。
【００２３】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００２４】
カメラ１２は、フロントフェイス１Ａに面している物体を撮影するインカメラである。カメラ１３は、バックフェイス１Ｂに面している物体を撮影するアウトカメラである。
【００２５】
外部インターフェイス（接続部）１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−ｄｅｆｉｎｉｔｉｏｎ  Ｌｉｎｋ）、ライトピーク（サンダーボルト）、イヤホンマイクコネクタのような汎用的な端子であってもよい。外部インターフェイス１４は、Ｄｏｃｋコネクタのような専用に設計された端子でもよい。
【００２６】
本実施例に係るスマートフォン１は、ユーザが電源キー等の物理的なキーを操作することなく、ディスプレイがＯＦＦ状態においてユーザの操作を受け付ける。以下に、具体的な構成について説明する。
【００２７】
スマートフォン１は、図３に示すように、ディスプレイ２Ａと、ディスプレイ２Ａ上に配置されるタッチスクリーン２Ｂ（タッチパネル）と、制御部２１と、を備える。
制御部２１は、所定の処理が実行されているときに、ディスプレイ２ＡがＯＦＦ状態になった場合、タッチスクリーン２Ｂの感度閾値をディスプレイ２ＡがＯＮ状態のときよりも高く設定する。
【００２８】
所定の処理が実行されているときとは、例えば、スマートフォン１がＯＮ状態となり、所定のプログラムの処理が実行されて、ディスプレイ２Ａにホーム画面が表示されているとき、コンテンツの再生処理が実行されているとき、所定のプログラムの処理が実行されているとき等が該当する。
【００２９】
制御部２１は、所定の条件を満たしている場合に、ディスプレイ２ＡをＯＦＦ状態にする機能を有している。所定の条件とは、ディスプレイ２ＡがＯＮ状態で、所定時間以上、操作を受け付けなかった場合等である。スマートフォン１は、当該機能により省電力を図ることができる。
【００３０】
また、タッチスクリーン２Ｂの検出方式が静電容量方式の場合には、制御部２１は、タッチスクリーン２Ｂの表面にユーザの指等が近接（又は接触）し、静電結合が起き、このときの静電容量の値が所定の値（感度閾値）を超えていれば、近接（又は接触）を受け付ける（ユーザの指等が近接（又は接触）したとして、近接（又は接触）した位置に応じて処理を行う）構成になっている。
【００３１】
本実施例に係るスマートフォン１は、所定の処理が実行されているときに、ディスプレイ２ＡがＯＦＦ状態になった場合には、タッチスクリーン２Ｂの感度閾値をディスプレイ２ＡがＯＮ状態のときよりも高く設定するので、スマートフォン１のタッチスクリーン２Ｂに手（又は指）を近接させるだけで、電源キー等の物理的なキーを操作することなく、ディスプレイ２ＡがＯＦＦ状態においてユーザの操作を受け付けることができる。
【００３２】
制御部２１は、タッチスクリーン２Ｂから送信されてきた検出値が感度閾値を超えていた場合には、ディスプレイ２ＡをＯＮ状態にする構成でもよい。
【００３３】
従来、ユーザは、スマートフォンにより音楽データの再生処理を行っている場合に、所定時間が経過してディスプレイがＯＦＦ状態になり、音楽データのスキップ等の操作を行いたい場合には、スマートフォンを手にとって、タッチスクリーン等を操作してディスプレイ２ＡをＯＮ状態に移行し、さらに、タッチスクリーンを操作して、音楽データのスキップ操作を行っていた。
【００３４】
本実施例に係るスマートフォン１は、例えば、音楽データの再生処理を行っている場合に、所定時間が経過してディスプレイ２ＡがＯＦＦ状態になった場合には、タッチスクリーン２Ｂの感度閾値をディスプレイ２ＡがＯＮ状態のときよりも高く設定するので、スマートフォン１のタッチスクリーン２Ｂに手（又は指）を近接させるだけで、ディスプレイ２ＡをＯＮ状態に移行でき、スムーズに音楽データのスキップ操作等を行うことができる。
【００３５】
このようにして、スマートフォン１は、ユーザが電源キー等の物理的なキーを操作することなく、ディスプレイ２ＡがＯＦＦ状態においてユーザの操作を受け付け、ディスプレイ２ＡをＯＮ状態にすることができる。
【００３６】
タッチスクリーン２Ｂは、複数の感度点により構成されている。
ここで、タッチスクリーン２Ｂと制御部２１の構成と動作について説明する。なお、以下に示すタッチスクリーン２Ｂの構成は、一例であって、これに限定されるものではない。
【００３７】
タッチスクリーン２Ｂは、絶縁体フィルムとその下の電極層、さらに制御用ＩＣを搭載する基板層から構成される。絶縁体フィルムの下の電極層には、ＩＴＯ等の透明電極によって縦横２層からなる多数のモザイク状電極パターンがガラスやプラスチック等の基板上に配置される。
【００３８】
制御部２１は、指が触れるとその付近の電極の静電容量の変化を縦横２つの電極列から知ることで位置を判別する。縦と横に走る多数の電極（感度点）によって、多点（マルチタッチ）検出も可能となる。
【００３９】
制御部２１は、タッチスクリーン２Ｂから送信されてきた検出値が感度閾値を超えていた場合には、感度点が反応した数、すなわち面積に応じて異なる制御を行う構成でもよい。
【００４０】
例えば、制御部２１は、音楽データの再生処理を行っている場合に、所定時間が経過してディスプレイ２ＡがＯＦＦ状態になり、タッチスクリーン２Ｂの感度閾値をディスプレイ２ＡがＯＮ状態のときよりも高く設定している状態において、タッチスクリーン２Ｂから送信されてきた検出値が感度閾値を超えており、感度点がＡ個の場合には、音楽データのスキップを行う。
【００４１】
また、制御部２１は、音楽データの再生処理を行っている場合に、所定時間が経過してディスプレイ２ＡがＯＦＦ状態になり、タッチスクリーン２Ｂの感度閾値をディスプレイ２ＡがＯＮ状態のときよりも高く設定している状態において、タッチスクリーン２Ｂから送信されてきた検出値が感度閾値を超えており、感度点がＢ個（Ｂ＞Ａ）の場合には、音楽データの早送りを行う。
【００４２】
このようにして、スマートフォン１は、タッチスクリーン２Ｂから送信されてきた検出値が感度閾値を超えていた場合には、感度点が反応した数に応じて異なる制御を行うので、スムーズなユーザ操作を可能にする。
【００４３】
外部機器に接続される外部インターフェイス（接続部）１４を備える。
外部インターフェイス１４は、所定の信号伝送用規格（例えば、映像信号及び／又は音声信号の伝送用規格）に準拠しており、外部機器に接続される。所定の信号伝送用規格とは、例えば、ＨＤＭＩ規格又はＭＨＬ規格等である。
【００４４】
本実施例では、図４に示すように、外部機器であるテレビ１０１とスマートフォン１がケーブル１０２で相互に接続されている形態を想定している。また、テレビ１０１のインターフェイスとスマートフォン１の外部インターフェイス１４とは、同一の規格に準拠しているものとして説明するが、これに限られない。
【００４５】
例えば、テレビ１０１のインターフェイスは、ＨＤＭＩ規格に準拠し、スマートフォン１の外部インターフェイス１４は、ＭＨＬ規格に準拠していてもよい。このような構成の場合には、ケーブル１０２は、図５に示すように、ＨＤＭＩとＭＨＬを相互に変換するアダプタ１０２ａを備えており、一方の端子１０２ｂがＨＤＭＩ規格に対応してテレビ１０１に接続され、他方の端子１０２ｃがＭＨＬ規格に対応してスマートフォン１に接続される。
【００４６】
制御部２１は、外部インターフェイス１４に外部機器が接続され、所定の処理が実行されて、当該所定の処理に係る信号が外部機器に送信されているときに、ディスプレイ２ＡがＯＦＦ状態になった場合、タッチスクリーン２Ｂの感度閾値をディスプレイ２ＡがＯＮ状態のときよりも高く設定する構成でもよい。
【００４７】
例えば、制御部２１は、外部インターフェイス１４にテレビ１０１が接続されている状態において、静止画データの再生処理が実行されると、所定の処理に係る信号をテレビ１０１に送信する。テレビ１０１は、受信した所定の処理に係る信号に基づく静止画を表示する。
【００４８】
制御部２１は、テレビ１０１に所定の処理に係る信号を送信しているときに、ディスプレイ２ＡがＯＦＦ状態になった場合、タッチスクリーン２Ｂの感度閾値をディスプレイ２ＡがＯＮ状態のときよりも高く設定する。
【００４９】
制御部２１は、タッチスクリーン２Ｂの感度閾値をディスプレイ２ＡがＯＮ状態のときよりも高く設定している状態において、例えば、感度閾値以上の領域であって、タッチスクリーン２Ｂの上空を左から右に移動するジェスチャを検出した場合、現在処理している静止画データの次の静止画データの再生処理を実行する。なお、テレビ１０１には、次の静止画が表示されることになる。
【００５０】
よって、ユーザは、感度閾値以上の領域であって、タッチスクリーン２Ｂの上空を左から右に移動するジェスチャを繰り返すことにより、静止画を次から次に変更してテレビ１０１に表示することができる。
【００５１】
また、スマートフォン１は、ＭＨＬ規格によって、テレビ１０１に接続されることにより、テレビ１０１側から電源の供給を受けることができる。
よって、スマートフォン１では、ディスプレイがＯＦＦ状態において、タッチスクリーン２ＢをＯＮ状態に維持し、かつ、タッチスクリーン２Ｂの感度閾値をデフォルト値よりも高めに設定しても、充電池に対する負担は軽いといえる。
【００５２】
このようにして、スマートフォン１は、外部インターフェイス１４に外部機器が接続され、所定の処理が実行されて、当該所定の処理に係る信号が外部機器に送信されているときに、ディスプレイ２ＡがＯＦＦ状態になった場合、タッチスクリーン２Ｂの感度閾値をディスプレイ２ＡがＯＮ状態のときよりも高く設定するので、ユーザが電源キー等の物理的なキーを操作することなく、ディスプレイ２ＡがＯＦＦ状態においてユーザの操作を受け付けることができる。
【００５３】
また、スマートフォン１は、上述のように、タッチスクリーン２Ｂの感度閾値をディスプレイ２ＡがＯＮ状態のときよりも高く設定した後、タッチスクリーン２Ｂから送信される検出値が感度閾値を超えず、所定時間が経過した場合には、タッチスクリーン２ＢをＯＦＦ状態、つまり、タッチスクリーン２Ｂへの電源の供給を遮断する構成でもよい。このような構成によれば、スマートフォン１は、段階的に省電力を測ることができる。
【００５４】
制御部２１は、タッチスクリーン２Ｂの感度閾値をディスプレイ２ＡがＯＮ状態のときよりも高く設定するときに、複数の異なる感度閾値を設定し、タッチスクリーン２Ｂから送信されてきた検出値が超えた感度閾値に応じて、異なる制御を行う構成でもよい。
【００５５】
例えば、制御部２１は、外部インターフェイス１４にテレビ１０１が接続されている状態において、静止画データの再生処理が実行され、タッチスクリーン２Ｂの感度閾値をディスプレイ２ＡがＯＮ状態のときよりも高く設定している状態において、タッチスクリーン２Ｂから送信されてきた検出値が第１の感度閾値を超えている場合には、現在処理している静止画データの次の静止画データの再生処理を実行する。
【００５６】
また、制御部２１は、外部インターフェイス１４にテレビ１０１が接続されている状態において、静止画データの再生処理が実行され、タッチスクリーン２Ｂの感度閾値をディスプレイ２ＡがＯＮ状態のときよりも高く設定している状態において、タッチスクリーン２Ｂから送信されてきた検出値が第２の感度閾値（第１感度閾値＜第２感度閾値）を超えている場合には、現在処理している静止画データよりも一つ前の静止画データの再生処理を実行する。
【００５７】
このようにして、スマートフォン１は、感度閾値を複数設定することによって、感度閾値に応じて、異なる制御を行わせることができるので、スムーズなユーザ操作を可能にする。
【００５８】
つぎに、スマートフォン１の動作について、図６に示すフローチャートを参照しながら説明する。なお、以下では、外部インターフェイス１４にテレビ１０１が接続されているものとする。
【００５９】
ステップＳＴ１において、制御部２１は、ユーザによる操作が終了したかどうかを判断する。ユーザは、例えば、静止画を再生するための操作を行う。制御部２１は、再生処理した静止画データをテレビ１０１に送信する。テレビ１０１は、受信した静止画データに基づく静止画を表示する。
ユーザによる操作が終了したと判断した場合（Ｙｅｓ）には、ステップＳＴ２に進み、ユーザによる操作が終了していないと判断した場合（Ｎｏ）には、本工程を繰り返す。
【００６０】
ステップＳＴ２において、制御部２１は、タッチスクリーン２Ｂのキャリブレーションを行う。キャリブレーションとは、タッチスクリーン２Ｂの感度調節を行う機能のことである。タッチスクリーン２Ｂは、キャリブレーションが行われることにより、感度閾値が工場出荷時に設定されていた閾値（デフォルト値）に調整される。
【００６１】
ステップＳＴ３において、制御部２１は、ステップＳＴ２の工程により調整した感度閾値（デフォルト値）をメモリに記憶する。
【００６２】
ステップＳＴ４において、制御部２１は、所定の条件を満たしている場合に、ディスプレイ２ＡをＯＦＦ状態にする。所定の条件とは、ディスプレイ２ＡがＯＮ状態で、所定時間以上、操作を受け付けなかった場合等である。
【００６３】
ステップＳＴ５において、制御部２１は、タッチスクリーン２Ｂの感度閾値をディスプレイ２ＡがＯＮ状態のときよりも高く設定する。つまり、タッチスクリーン２Ｂは、デフォルト値よりも高い値に感度閾値が設定されることになる。
【００６４】
ステップＳＴ６において、制御部２１は、タッチスクリーン２Ｂから送信されてきた検出値がステップＳＴ５の工程で設定した感度閾値を超えているかどうかを判断する。感度閾値を超えていると判断した場合（Ｙｅｓ）には、ステップＳＴ７に進み、感度閾値を超えていないと判断した場合（Ｎｏ）には、本工程を繰り返す。
【００６５】
ステップＳＴ７において、制御部２１は、ディスプレイ２ＡをＯＮ状態にする。
【００６６】
ステップＳＴ８において、制御部２１は、タッチスクリーン２Ｂの感度閾値をステップＳＴ３の工程でメモリに記憶されている感度閾値（デフォルト値）に変更する。つまり、ユーザは、スマートフォン１に対して、通常操作を行うことができる。
【００６７】
このようにして、スマートフォン１は、外部インターフェイス１４に外部機器が接続され、所定の処理が実行されて、当該所定の処理に係る信号が外部機器に送信されているときに、ディスプレイ２ＡがＯＦＦ状態になった場合、タッチスクリーン２Ｂの感度閾値をディスプレイ２ＡがＯＮ状態のときよりも高く設定するので、ユーザが電源キー等の物理的なキーを操作することなく、ディスプレイ２ＡがＯＦＦ状態においてユーザの操作を受け付けることができる。
【００６８】
また、スマートフォン１は、以下に示す効果も奏する。
従来の機器では、ディスプレイがＯＦＦ状態において、タッチスクリーン２Ｂを操作するためには、物理ボタン等を押下して、機器を起動させるための操作が必要となっており、ユーザへの操作負荷が増えていた。
【００６９】
本実施例に係るスマートフォン１では、ディスプレイがＯＦＦ状態において、タッチスクリーン２Ｂへの通電を継続し、かつ、タッチスクリーン２Ｂの感度閾値をデフォルト値よりも高めに設定しておくので、従来の機器が必要としていた前置きの操作を行うことなしに、タッチスクリーン２Ｂの操作が可能になり、ユーザにスムーズな操作を行わせることが可能となった。
【００７０】
また、従来の機器では、ユーザによる操作の有無に関わらず、機器のディスプレイが表示されていたため、無駄な電力を消費し、機器の使用時間が短縮されていた。
【００７１】
本実施例に係るスマートフォン１では、ユーザが操作するときのみ画面が表示されるので、電力の消費を最小限に抑えることが可能となり、充電池に対する負担を軽減することができる。
【００７２】
また、本実施例に係るスマートフォン１は、ディスプレイがＯＦＦ状態において、タッチスクリーン２Ｂの感度閾値をデフォルト値よりも高めに設定しておくので、近接センサの機能も果たしており、近接センサを備える必要がないメリットもある。近接センサの機能とは、近隣の物体の存在を非接触で検出するものである。
【００７３】
なお、本実施例では、外部機器をテレビ１０１であるものとして説明したが、着信を報知できる構成であればよく、これに限られない。例えば、外部機器は、ステレオコンポーネント、ＰＣ等が考えられる。
【００７４】
また、本実施例では、主にスマートフォンの構成と動作について説明したが、これに限られず、各構成要素を備え、ユーザが電源キー等の物理的なキーを操作することなく、ディスプレイがＯＦＦ状態においてユーザの操作を受け付けるように制御する制御方法、及びプログラムとして構成されてもよい。
【００７５】
さらに、スマートフォンの機能を実現するためのプログラムをコンピュータで読み取り可能な記録媒体に記録して、この記録媒体に記録されたプログラムをコンピュータシステムに読み込ませ、実行することによって実現してもよい。
【００７６】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００７７】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【００７８】
また、本実施例では、外部インターフェイス１４は、他の装置が接続される端子であるとして説明したが、本発明はこれに限定されず、外部インターフェイスは、ブルートゥース（登録商標）、ＷｉＦｉ（登録商標）等の無線通信規格に準拠する無線インターフェイスであってもよい。したがって、本願発明の電子機器は、外部機器と無線通信規格に準拠する無線通信により通信可能に接続されていてもよい。
【符号の説明】
【００７９】
１  スマートフォン
２Ａ  ディスプレイ
２Ｂ  タッチスクリーン
１４  外部インターフェイス
２１  制御部
【図１】
2014089636.tif 000003
【図２】
2014089636.tif 000004
【図３】
2014089636.tif 000005
【図４】
2014089636.tif 000006
【図５】
2014089636.tif 000007
【図６】
2014089636.tif 000008